(57)【特許請求の範囲】
【請求項１】
補助の加圧構造を設置することで、折り曲げ状の活動ブロックの出力端で斜歯を有する内側レンチ辺と主ハンドルの出力端で前記内側レンチ辺と向き合い斜歯を有する固定レンチ辺との間を圧迫、加圧、はさみ及びセットすることの可能なパイプレンチにおいて、
前記補助の加圧構造は、一端を前記折り曲げ状の活動ブロックの反出力端側に摺接し、他端を前記主ハンドルの反出力端側で所定の間隔を置いて設けられ、前記一端と前記他端との中間を主ハンドルに回転可能に接続し、前記折り曲げ状の活動ブロックを印加するＬ字形のハンドルを有し、前記内側レンチ辺と前記固定レンチ辺との間の加圧を補助する目的に役立つことを特徴とするパイプレンチ。
【請求項２】
前記加圧構造は、所定の角度に沿って折り曲げられるＬ字形のハンドル（３０１）と、
前記Ｌ字形のハンドルを前記主ハンドルに回転可能に接続する枢設構造（３０３）と、
前記主ハンドルと前記Ｌ字形のハンドルとの間に設けられ、前記主ハンドルに対し前記Ｌ字形のハンドルを離隔するように付勢する戻りスプリング（３０５）と、を有し、
前記Ｌ字形のハンドル（３０１）の前記他端を操作者が押すと、前記戻りスプリング（３０５）が前記Ｌ字形のハンドルを操作者が前記Ｌ字形のハンドル（３０１）の前記他端を押す前の位置に戻すことを特徴とする請求項１記載のパイプレンチ。
【請求項３】
前記加圧構造の前記Ｌ字形のハンドル（３０１）の前記一端は、前記折り曲げ状の活動ブロックの反出力端側に摺接する面が前記折り曲げ状の活動ブロックを包み込む形状に形成され、
前記Ｌ字形のハンドルの前記中間には主ハンドル（１０１）の中段と回転可能に接続する枢設軸（３０６）があり、折り曲げ状活動ブロック（２００）の前記他端側に形成され前記内側レンチ辺と前記固定レンチ辺との距離をナット（２０３）によって調節するねじ山（２０１）をもつ調整アーム（２０２）を動かし、
前記Ｌ字形のハンドル（３０１）において主ハンドル（１０１）の握り側に対応する側を押すと、折り曲げ状活動ブロック（２００）内側のレンチ辺（２０４）と主ハンドル（１０１）の出力端のレンチ辺（１０２）との両者を相対的に加圧して挟むことを特徴とする請求項２記載のパイプレンチ。
【請求項４】
前記加圧構造の前記Ｌ字形のハンドル（３０１）の前記一端をスライド可能な枢設軸の構造（３０３）に製作し、この枢設軸の構造（３０３）は、折り曲げ状活動ブロック（２００）の前記他端に形成され前記内側レンチ辺と前記固定レンチ辺との距離をナット（２０３）によって調節するねじ山（２０１）をもつ調整アーム（２０２）の末端に形成された縦方向溝（３０４）の中を自在に滑り動くことが可能なように接続し、さらに、前記枢設軸の構造（３０３）は、前記内側レンチ辺と前記固定レンチ辺との距離が調節可能な範囲で縦方向溝（３０４）と接続し、
前記Ｌ字形のハンドルの前記中間には主ハンドル（１０１）の中段と回転可能に接続する枢設軸（３０６）があり、前記Ｌ字形のハンドル（３０１）を押すと、折り曲げ状活動ブロック（２００）内側のレンチ辺（２０４）と主ハンドル（１０１）の出力端のレンチ辺（１０２）との両者を相対的に加圧して挟むことを特徴とする請求項２記載のパイプレンチ。
【請求項５】
前記加圧構造の前記Ｌ字形のハンドル（３０１）の前記一端をスライド可能な枢設軸の構造（３０３）に製作し、この枢設軸の構造（３０３）は、折り曲げ状活動ブロック（２００）の前記他端に形成され前記内側レンチ辺と前記固定レンチ辺との距離をナット（２０３）によって調節するねじ山（２０１）をもつ調整アーム（２０２）の末端に形成された縦方向溝（３０４）の中を自在に滑り動くことが可能なように接続し、さらに、前記枢設軸の構造（３０３）は、前記内側レンチ辺と前記固定レンチ辺との距離が調節可能な範囲で縦方向溝（３０４）と接続し、
前記Ｌ字形のハンドル（３０１）の前記中間に形成された枢設軸（３０６）は主ハンドル（１０１）の中段に形成された縦方向スライド溝（１０９）の中を滑り動くことが可能なように接続し、折り曲げ状活動ブロック（２００）においてねじ山（２０１）をもつ調整アーム（２０２）と主ハンドル（１０１）との相対位置を調整するとき、前記枢設軸（３０６）は縦方向スライド溝（１０９）の中を滑り動き、
Ｌ字形のハンドル（３０１）を押すと、折り曲げ状活動ブロック（２００）内側のレンチ辺（２０４）と主ハンドル（１０１）の出力端のレンチ辺（１０２）との両者を相対的に加圧して挟むことを特徴とする請求項２記載のパイプレンチ。
【請求項６】
補助の加圧構造を設置することで、折り曲げ状の活動ブロックの出力端で斜歯を有する内側レンチ辺と主ハンドルの出力端で前記内側レンチ辺と向き合い斜歯を有する固定レンチ辺との間を圧迫、加圧、はさみ及びセットすることの可能なパイプレンチにおいて、
加圧ねじを設置して、前記加圧構造を構成し、その構成には以下のものがあり、
前記折り曲げ状活動ブロック（２００）の前記他端側に形成され前記内側レンチ辺と前記固定レンチ辺との距離をナット（２０３）によって調節するねじ山（２０１）をもつ調整アーム（２０２）の主ハンドル（１０１）と対応する側に側方向ねじ孔（４０１）及び回転加圧スクリュー（４０２）を追加し、
主ハンドル（１０１）が調整アーム２０２と対面する側に圧迫面（４０３）を追加し、
折り曲げ状活動ブロック（２００）の前記調整アームの側方向ねじ孔（４０１）に配置された回転加圧スクリュー（４０２）によって前記加圧構造を形成し、
回転加圧スクリュー（４０２）を操作して主ハンドル（１０１）の圧迫面（４０３）を圧迫すると、折り曲げ状活動ブロック（２００）内側のレンチ辺（２０４）と主ハンドル（１０１）の出力端のレンチ辺（１０２）との両者を相対的に加圧して挟むことを特徴とするパイプレンチ。
【請求項７】
補助の加圧構造を設置することで、折り曲げ状の活動ブロックの出力端で斜歯を有する内側レンチ辺と主ハンドルの出力端で前記内側レンチ辺と向き合い斜歯を有する固定レンチ辺との間を圧迫、加圧、はさみ及びセットすることの可能なパイプレンチにおいて、
加圧ねじを設置して、前記加圧構造を構成し、主ハンドル（１０１）の中段に横方向ねじ孔（５０１）及び回転加圧スクリュー（５０２）を設置し、
折り曲げ状活動ブロック（２００）の前記他端側に形成され前記内側レンチ辺と前記固定レンチ辺との距離をナット（２０３）によって調節するねじ山（２０１）をもつ調整アーム（２０２）が主ハンドル（１０１）に向き合う側に内側圧迫面（５０３）を形成し、に前記横方向ねじ孔（５０１）、回転加圧スクリュー（５０２）及び内側圧迫面（５０３）によって前記加圧構造を形成し、
回転加圧スクリュー（２０１）を操作して、折り曲げ状活動ブロック（２００）のねじ山（２０１）をもつ調整アーム（２０２）と主ハンドル（１０１）との向き合う内側圧迫面（５０３）を圧迫すると、折り曲げ状活動ブロック（２００）内側のレンチ辺（２０４）と主ハンドル（１０１）の出力端のレンチ辺（１０２）との両者を相対的に加圧して挟むことを特徴とするパイプレンチ。
【発明の詳細な説明】
【０００１】
【発明の属する技術分野】
本発明は、補助の加圧機能をもつパイプレンチに関するものであり、特に、従来のパイプレンチを新規創造するように改良し、補助の加圧構造を設置するので、斜歯を具有する折り曲げ状の活動ブロックの内側レンチ辺とハンドルの出力端の固定レンチ辺との間を圧迫及び作動することにより、向き合うような加圧、クリップおよびセットなどの効果を有するパイプレンチに関する。
【０００２】
【従来の技術】
従来のパイプレンチは、斜歯を具有する折り曲げ状の活動ブロックの内側レンチ辺と斜歯をもつハンドルの出力端の固定レンチ辺とを利用して、ルースフィット（loose  fit）で傾斜開口形状を形成し、パイプ状のワークを嵌め込み、回転させる。しかしながら、実際に操作するとき、寸法の配合は困難であり、何度も調整しなければならない。また、傾斜角度の嵌め込みであるため、回したあとでワークを外すことは困難である。
【０００３】
図１０に示すように、従来のパイプレンチの構造は主に、選定の材料で主ハンドル１０１をつくる。その一端は力を施すように操作できる。他端は出力端として、外へ向かって延びる固定レンチ辺１０２になり、斜歯構造１０３がある。また、側面へ延ばすように、ガイドホール台座１０４を設置し、それにはガイドホール構造１０５が設けられている。ガイドホール構造１０５は方孔形状に近似している。その孔の長手軸方向はハンドルと平行、又はほぼ平行であるので、相対的な幾何形状にマッチでき、ねじ穴をもつ折り曲げ状の活動ブロック２００において調整ねじ２０１を具有する調整アーム２０２をその間に貫通することができる。両者が活動自在であるようにルースフィットを採用するばかりでなく、調整アーム２０２には調整ナット２０３を配置することもある。そして、調整アーム２０２を相対的な長手軸方向の位置に移動させ、操作するとき、ナット２０３を調整してガイドホール１０４の制限ノッチ１０６に嵌め合わせる。つまり、ナット２０３を回して動かすと、折り曲げ状活動ブロック２００において調整ねじ２０１をもつ調整アーム２０２を押すので、折り曲げ状活動ブロックの内側のレンチ辺２０４と、主ハンドル１０１の出力端に設置され斜歯構造を具有するレンチ辺１０２との両辺を相対的に位置移動するように調整することができる。すなわち、主な機能として、相互にルースフィットとなる両辺を「外大内小」という開口形状に形成する。適当な開口を調整したあと、パイプ状又はバー状のワークを嵌め合わせる。さらに、斜歯の圧迫でワークを回して駆動させる。
【０００４】
【発明が解決しようとする課題】
しかしながら、従来のパイプレンチには次の欠点がある。
（１）通常、開口で数回やってみて挟まないと、適当な寸法が得られない。その操作は不便であり、非専業者にとっては特に困難である。
（２）回して操作したあと、外しにくい。たまに、たたく又は連続して回転しなければならないので、不便である。
したがって、本発明の主な目的は、クランク操作がより容易であり、挟み又は解放が従来の構造より便利であるパイプレンチを提供することにある。
【０００５】
【課題を解決するための手段】
上述の課題を解決するための本発明のパイプレンチは、加圧の構造により、パイプレンチの折り曲げ状活動ブロックのレンチ辺と固定レンチ辺との両者を相対的な方向に沿って、加圧するように挟む。したがって、パイプレンチのクランク操作はより容易であり、挟み又は解放が従来の構造より便利である。
【０００６】
【発明の実施の形態】
本発明の目的、特徴および効果などを明解にするために、以下、さらに具体的な実施例を図面とあわせて詳しく説明する。
本発明の実施例による補助の加圧機能をもつパイプレンチは、上述の欠陥を解決するためにつくられた改良設計である。つまり、その特徴は主動の加圧クランク機能を追加し、前述の欠点を改善する。
【０００７】
補助の加圧機能をもつパイプレンチの主な改良構造は次の要素を含む。
（一）本発明の実施例（一）から（三）では、図１から図７に示すように、主動加圧ハンドルを設置して、加圧構造を構成する。
その構成方式には以下のものがある。
【０００８】
Ｌ字形のハンドル構造を追加して、主動加圧ハンドルとする。Ｌ字形のハンドル３０１は選定の角度に沿って折り曲げられる。さらに、枢設構造３０３及び戻りスプリング３０５を具有する。Ｌ字形のハンドル３０１の長い末端で、操作者は主動に押すことができる。また、戻りスプリング３０５で自動に本来の位置に戻る。その出力端は次の選択を含む。
【０００９】
（１）図１は本発明の実施例（一）であり、図２は図１をＡ―Ａ線で切断した断面図であり、図３は図１をＢ―Ｂ線で切断した断面図である。それは、Ｌ字形のハンドル３０１の出力端を曲面の圧力ハンマー形状の構造３０２に製作する。その中段には枢設軸３０６があるので、主ハンドル１０１の中段にリンクし、折り曲げ状活動ブロック２００においてねじ山２０１をもつ調整アーム２０２を動かし、主ハンドル１０１の握り側に近接させる。したがって、Ｌ字形のハンドル３０１を押すと、折り曲げ状活動ブロック２００内側のレンチ辺２０４と主ハンドル１０１の出力端のレンチ辺１０２との両者を相対的に加圧して挟む。
【００１０】
（２）図４は本発明の実施例（二）であり、図５は図４をＣ―Ｃ線で切断した断面図である。Ｌ字形のハンドル３０１の出力末端を枢設軸の構造３０３に製作する。そうすると、折り曲げ状活動ブロック２００においてねじ山２０１をもつ調整アーム２００の末端に形成した縦方向溝３０４と自在に滑り動くようにリンクする。両者は折り曲げ状活動ブロック２００の調整ストロークで有効的にマッチする。その中段には枢設軸３０６があるので、主ハンドル１０１の中段にリンクし、開口のストローク範囲では、Ｌ字形のハンドル３０１を押すと、折り曲げ状活動ブロック２００内側のレンチ辺２０４と主ハンドル１０１の出力端のレンチ辺１０２との両者を相対的に加圧して挟む。
【００１１】
（３）図６は本発明の実施例（三）であり、図７は図６をＤ―Ｄ線で切断した断面図である。Ｌ字形のハンドル３０１の出力末端と折り曲げ状活動ブロック２００においてねじ山をもつ調整アーム２０２の末端との両端を枢設軸の構造３０３に製作する。そうすると、Ｌ字形のハンドル３０１の枢設軸３０６と主ハンドル１０１の縦方向スライド溝１０９とが滑り動くようにリンクできる。しかも、折り曲げ状活動ブロック２００においてねじ山２０をもつ調整アーム２０２と主ハンドル１０１との相対位置を調整するとき、それに伴って滑り動く。したがって、Ｌ字形のハンドル３０１を押すと、折り曲げ状活動ブロック２００内側のレンチ辺２０４と主ハンドル１０１の出力端のレンチ辺１０２との両者を相対的に加圧して挟む。
【００１２】
（二）加圧ねじを設置して、加圧構造を構成する。その構成構造には以下のものがある。
（１）図８は本発明の実施例（四）である。折り曲げ状活動ブロック２００において、ねじ山２０１をもつ調整アーム２０２と主ハンドル１０１との近接側に側方向ねじ孔４０１及び回転加圧スクリュー４０２を追加する。さらに、主ハンドル１０１が調整アーム２０２を迎える方向に圧迫面４０３を追加する。したがって、折り曲げ状活動ブロック２００の調整アームの側方向ねじ孔４０１に配置された回転加圧スクリュー４０２に合わせて加圧構造が形成される。回転加圧スクリュー４０２を操作して、主ハンドル１０１の圧迫面４０３を圧迫すると、折り曲げ状活動ブロック２００内側のレンチ辺２０４と主ハンドル１０１の出力端のレンチ辺１０２との両者を相対的に加圧して挟む。
【００１３】
（２）図９は本発明の実施例（五）である。主ハンドル１０１の中段に、横方向ねじ孔５０１及び回転加圧スクリュー５０２を設置する。折り曲げ状活動ブロック２００において、ねじ山２０１をもつ調整アーム２０２と主ハンドル１０１との向き合う内側圧迫面５０３に合わせて、加圧構造を形成する。回転加圧スクリュー２０１を操作して、折り曲げ状活動ブロック２００のねじ山２０１をもつ調整アーム２０２と主ハンドル１０１との向き合う内側圧迫面５０３を圧迫すると、折り曲げ状活動ブロック２００内側のレンチ辺２０４と主ハンドル１０１の出力端のレンチ辺１０２との両者を相対的に加圧して挟む。
上述の内容をまとめると、本発明の実施例は、前述の構造改良によりパイプレンチの操作が容易となり、狭みおよび解放が従来の構造より便利であり、確かに、新規な発想であり、優れた効果を得る。
【００１４】
【発明の効果】
本発明は、補助の加圧機能をもつパイプレンチの設計である。従来のパイプレンチを新規創造するように改良し、補助の加圧構造を設置するので、斜歯を具有する折り曲げ状の活動ブロックの内側レンチ辺とハンドルの出力端の固定レンチ辺との間を圧迫及び作動することにより、向き合うような加圧、クリップ及びセットなどの効果を有する。つまり、パイプレンチの操作が容易となり、狭み及び解放が従来の構造より便利である。
【図面の簡単な説明】
【図１】  本発明の実施例（一）による補助の加圧機能をもつパイプレンチを示す模式図である。
【図２】  図１をＡ−Ａ線で切断した断面図である。
【図３】  図１をＢ−Ｂ線で切断した断面図である。
【図４】  本発明の実施例（二）による補助の加圧機能をもつパイプレンチを示す模式図である。
【図５】  図４をＣ−Ｃ線で切断した断面図である。
【図６】  本発明の実施例（三）による補助の加圧機能をもつパイプレンチを示す模式図である。
【図７】  図６をＤ−Ｄ線で切断した断面図である。
【図８】  本発明の実施例（四）による補助の加圧機能をもつパイプレンチを示す模式図である。
【図９】  本発明の実施例（五）による補助の加圧機能をもつパイプレンチを示す模式図である。
【図１０】  従来のパイプレンチを示す模式図である。
【符号の説明】
１０１    主ハンドル
１０２、２０４    レンチ辺
１０３、２０５    斜歯構造
１０４    ガイドホール台座
１０５    ガイドホール構造
１０６    ノッチ
１０９    スライド溝
２００    折り曲げ状の活動ブロック
２０１    調整ねじ山
２０２    調整アーム
２０３    ナット
３０１    Ｌ字形のハンドル
３０２    ハンマー状構造
３０３    枢設軸構造
３０４    縦方向の溝
３０５    戻りスプリング
３０６    枢設軸
４０１    側方向のねじ孔
４０２、５０２    回転加圧スクリュー
４０３、５０３    圧迫面
５０１    横方向のねじ孔
【図１】
0004298965.tif 000002
【図２】
0004298965.tif 000003
【図３】
0004298965.tif 000004
【図４】
0004298965.tif 000005
【図５】
0004298965.tif 000006
【図６】
0004298965.tif 000007
【図７】
0004298965.tif 000008
【図８】
0004298965.tif 000009
【図９】
0004298965.tif 000010
【図１０】
0004298965.tif 000011